(57)【要約】【課題】ユーザにとって適切な画面状態で複数の画像を俯瞰することができる画像表示装置などが求められていた。【解決手段】以上の課題を解決するため、本発明においては、画面内部の３次元仮想空間１１においてひとつ分の画像１３を注視する領域１２を画面中央から見て一方の側によった状態で設け、仮想線１４に沿った順送り処理（例えば、ＧＵＩボタン１５に対する操作入力に応じた順送り処理）によりこれから注視しようとする画像のグループの画面中に占める割合を多くする構成からなる画像表示装置などを提案する。【選択図】図１
2011113320.tif 000002
【特許請求の範囲】
【請求項１】
複数の画像を保持するための画像保持部と、
画像保持部に保持された複数の画像から画像を選択する選択部と、
３Ｄ画像内で画面内左右方向と上下方向又は／及び手前から奥への方向を組み合わせた形で引かれる仮想線である画像配置線に沿って選択された画像を配置する画像配置部と、
３Ｄ画像内で画像を前記画像配置線に沿ってひとつ分ずつ画面右から画面左に順送りする第一順送部と、
３Ｄ画像内で画面中央から見て左よりに前記画像配置線上のひとつ分の画像を注視するための画像注視領域を配置する第一画像注視領域配置部と、
を有する画像表示装置。
【請求項２】
複数の画像を保持するための画像保持部と、
画像保持部に保持された複数の画像から画像を選択する選択部と、
３Ｄ画像内で画面内左右方向と上下方向又は／及び手前から奥への方向を組み合わせた形で引かれる仮想線である画像配置線に沿って選択された画像を配置する画像配置部と、
３Ｄ画像内で画像を前記画像配置線に沿ってひとつ分ずつ画面左から画面右に順送りする第二順送部と、
３Ｄ画像内で画面中央から見て右よりに前記画像配置線上のひとつ分の画像を注視するための画像注視領域を配置する第二画像注視領域配置部と、
を有する画像表示装置。
【請求項３】
前記画像配置線は、３Ｄ画像内で画面奥側から画面手前側に向かってうねる仮想線であることを特徴とする請求項１又は２に記載の画像表示装置。
【請求項４】
前記画像注視領域は、画像を中に配置するための注視枠によって仕切られた内部領域であることを特徴とする請求項１から３のいずれか一に記載の画像表示装置。
【請求項５】
前記選択部は、
画像を選択する際の指定条件を受け付ける条件受付手段と、
前記指定条件に基づいて画像を選択する指定選択手段と、
を有することを特徴とする請求項１から４のいずれか一に記載の画像表示装置。
【請求項６】
前記画像配置部は、
前記画像配置線に沿って選択された画像を配置する際の配置条件を受け付ける配置条件受付手段と、
前記配置条件に基づいて画像を配置する条件配置手段と、
を有することを特徴とする請求項１から５のいずれか一に記載の画像表示装置。
【請求項７】
特定の画像の識別子のリストである特定画像リストを保持する特定画像リスト保持部と、
前記選択部は、前記特定画像リストに識別子が存在する画像を選択する特定画像選択手段を有することを特徴とする請求項１から６のいずれか一に記載の画像表示装置。
【請求項８】
前記画像注視領域に配置されている画像の識別子を前記特定画像リストに追加するためのリスト追加ボタンを前記画像注視領域付近に配置するリスト追加ボタン配置部をさらに有することを特徴とする請求項７に記載の画像表示装置。
【請求項９】
前記画像注視領域に配置されている画像の識別子を前記特定画像リストから除外するためのリスト除外ボタンを前記画像注視領域付近に配置するリスト除外ボタン配置部をさらに有することを特徴とする請求項７又は８に記載の画像表示装置。
【請求項１０】
画像の識別子に関連づけられたホームページのＵＲＬのリストであるページＵＲＬリストを保持するページＵＲＬリスト保持部と、
前記画像注視領域に配置されている画像の識別子に関連づけられたホームページに画面を遷移させるための遷移ボタンを前記画像注視領域付近に配置する遷移ボタン配置部をさらに有することを特徴とする請求項１から９のいずれか一に記載の画像表示装置。
【請求項１１】
画像配置線上にて画像を送り又は戻すためのスライドバーボタンを配置するスライドバーボタン配置部と、
前記選択部により選択された複数の画像の中で注視領域内に配置されている画像が何番目の画像に該当するかを示す論理的位置を取得する論理的位置取得部と、
前記スライドバーボタン上に前記論理的位置を示す情報を表示する論理的位置表示部と、をさらに有することを特徴とする請求項１から１０のいずれか一に記載の画像表示装置。
【請求項１２】
記憶装置に保持される複数の画像から画像を選択する選択ステップと、
３Ｄ画像内で画面内左右方向と上下方向又は／及び手前から奥への方向を組み合わせた形で引かれる仮想線である画像配置線に沿って選択された画像を配置する画像配置ステップと、
３Ｄ画像内で画像を前記画像配置線に沿ってひとつ分ずつ画面右から画面左に順送りする第一順送ステップと、
３Ｄ画像内で画面中央から見て左よりに前記画像配置線上のひとつ分の画像を注視するための画像注視領域を配置する第一画像注視領域配置ステップと、
を有する画像表示方法。
【請求項１３】
記憶装置に保持される複数の画像から画像を選択する選択ステップと、
３Ｄ画像内で画面内左右方向と上下方向又は／及び手前から奥への方向を組み合わせた形で引かれる仮想線である画像配置線に沿って選択された画像を配置する画像配置ステップと、
３Ｄ画像内で画像を前記画像配置線に沿ってひとつ分ずつ画面左から画面右に順送りする第二順送ステップと、
３Ｄ画像内で画面中央から見て右よりに前記画像配置線上のひとつ分の画像を注視するための画像注視領域を配置する第二画像注視領域配置ステップと、
を有する画像表示方法。
【請求項１４】
前記画像配置線は、３Ｄ画像内で画面奥側から画面手前側に向かってうねる仮想線であることを特徴とする請求項１２又は１３に記載の画像表示方法。
【請求項１５】
前記画像注視領域は、画像を中に配置するための注視枠によって仕切られた内部領域であることを特徴とする請求項１２から１４のいずれか一に記載の画像表示方法。
【請求項１６】
前記選択ステップは、
画像を選択する際の指定条件を受け付ける条件受付サブステップと、
前記指定条件に基づいて画像を選択する指定選択サブステップと、
を有することを特徴とする請求項１２から１５のいずれか一に記載の画像表示方法。
【請求項１７】
前記画像配置ステップは、
前記画像配置線に沿って選択された画像を配置する際の配置条件を受け付ける配置条件受付サブステップと、
前記配置条件に基づいて画像を配置する条件配置サブステップと、
を有することを特徴とする請求項１２から１６のいずれか一に記載の画像表示方法。
【請求項１８】
前記選択ステップは、記憶装置に保持される特定の画像の識別子からなるリストである特定画像リストに識別子が存在する画像を選択することを特徴とする請求項１２から１７のいずれか一に記載の画像表示方法。
【請求項１９】
前記画像注視領域に配置されている画像の識別子を前記特定画像リストに追加するためのリスト追加ボタンを前記画像注視領域付近に配置するリスト追加ボタン配置ステップをさらに有することを特徴とする請求項１８に記載の画像表示方法。
【請求項２０】
前記画像注視領域に配置されている画像の識別子を前記特定画像リストから除外するためのリスト除外ボタンを前記画像注視領域付近に配置するリスト除外ボタン配置ステップをさらに有することを特徴とする請求項１８又は１９に記載の画像表示方法。
【請求項２１】
記憶装置の保持される画像の識別子に関連づけられたホームページのＵＲＬのリストであるページＵＲＬリストに基づいて、前記画像注視領域に配置されている画像の識別子に関連づけられたホームページのＵＲＬ先に画面を遷移させるための遷移ボタンを前記画像注視領域付近に配置する遷移ボタン配置ステップをさらに有することを特徴とする請求項１２から２０のいずれか一に記載の画像表示方法。
【請求項２２】
画像配置線上にて画像を送り又は戻すためのスライドバーボタンを配置するスライドバーボタン配置ステップと、
前記選択ステップにて選択された複数の画像の中で注視領域内に配置されている画像が何番目の画像に該当するかを示す論理的位置を取得する論理的位置取得ステップと、
前記スライドバーボタン上に前記論理的位置を示す情報を表示する論理的位置表示ステップと、をさらに有することを特徴とする請求項１２から２１のいずれか一に記載の画像表示方法。
【請求項２３】
請求項１２から２２のいずれか一に記載の画像表示方法における処理をコンピュータに実行させるための画像表示プログラム。
【請求項２４】
請求項２３に記載の画像表示プログラムを記録したコンピュータ読み取り可能な記録媒体。
【発明の詳細な説明】
【技術分野】
【０００１】
本発明は、複数の画像を俯瞰して表示することが可能な装置などに関する。
【背景技術】
【０００２】
従来から、画面内部の３次元仮想空間において複数の画像を表示させることは一般的に行われてきた。例えば、複数の画像を画面上の所定の仮想線に沿って表示し、移動させる技術が存在している。特許文献１においては、画像移動軌跡の始点位置から終点位置に画像を移動させると共に、この移動に伴い画像の拡大率を変更し、表示画面の中央位置で最大かつ始点位置及び終点位置で最小となるように表示する画像表示方法が開示されている。
【先行技術文献】
【特許文献】
【０００３】
【特許文献１】特開２００３−５８８６
【発明の概要】
【発明が解決しようとする課題】
【０００４】
しかしながら、複数の画像のうちこれから注視しようとする画像のグループについてはそれ以外の画像のグループよりも情報的価値が高いため、これらの画像を同等の扱いで画面上に表示させておくことはユーザにとって無駄が多いといえる。また、複数の画像を俯瞰しながら興味ある画像を新たに見つけたいというユーザにとっては、これから先に注視しようとする画像のグループを広めの領域に表示する方が有益であるといえる。つまり、ウィンドウショッピングのような何か新しいものを探索する感覚で画像を検索することが可能な画像表示装置などが求められていた。
【課題を解決するための手段】
【０００５】
以上の課題を解決するために、本発明は、複数の画像を保持するための画像保持部と、画像保持部に保持された複数の画像から画像を選択する選択部と、３Ｄ画像内で画面内左右方向と上下方向又は／及び手前から奥への方向を組み合わせた形で引かれる仮想線である画像配置線に沿って選択された画像を配置する画像配置部と、３Ｄ画像内で画像を前記画像配置線に沿ってひとつ分ずつ画面右から画面左に順送りする第一順送部と、３Ｄ画像内で画面中央から見て左よりに前記画像配置線上のひとつ分の画像を注視するための画像注視領域を配置する第一画像注視領域配置部と、を有する画像表示装置を提案する。
【０００６】
また、複数の画像を保持するための画像保持部と、画像保持部に保持された複数の画像から画像を選択する選択部と、３Ｄ画像内で画面内左右方向と上下方向又は／及び手前から奥への方向を組み合わせた形で引かれる仮想線である画像配置線に沿って選択された画像を配置する画像配置部と、３Ｄ画像内で画像を前記画像配置線に沿ってひとつ分ずつ画面左から画面右に順送りする第二順送部と、３Ｄ画像内で画面中央から見て右よりに前記画像配置線上のひとつ分の画像を注視するための画像注視領域を配置する第二画像注視領域配置部と、を有する画像表示装置を提案する。
【０００７】
また、記憶装置に保持される複数の画像から画像を選択する選択ステップと、３Ｄ画像内で画面内左右方向と上下方向又は／及び手前から奥への方向を組み合わせた形で引かれる仮想線である画像配置線に沿って選択された画像を配置する画像配置ステップと、３Ｄ画像内で画像を前記画像配置線に沿ってひとつ分ずつ画面右から画面左に順送りする第一順送ステップと、３Ｄ画像内で画面中央から見て左よりに前記画像配置線上のひとつ分の画像を注視するための画像注視領域を配置する第一画像注視領域配置ステップと、を有することを特徴とする画像表示方法を提案する。
【０００８】
また、記憶装置に保持される複数の画像から画像を選択する選択ステップと、３Ｄ画像内で画面内左右方向と上下方向又は／及び手前から奥への方向を組み合わせた形で引かれる仮想線である画像配置線に沿って選択された画像を配置する画像配置ステップと、３Ｄ画像内で画像を前記画像配置線に沿ってひとつ分ずつ画面左から画面右に順送りする第二順送ステップと、３Ｄ画像内で画面中央から見て右よりに前記画像配置線上のひとつ分の画像を注視するための画像注視領域を配置する第二画像注視領域配置ステップと、を有することを特徴とする画像表示方法を提案する。
【発明の効果】
【０００９】
以上のような構成をとる本発明によって、これから注視しようとしている画像が画面中に占める割合を多くすることができ、ユーザにとってより適切な画面状態で複数の画像を俯瞰することができる。
【図面の簡単な説明】
【００１０】
【図１】実施例１の画像表示装置による表示の一例を示す図
【図２】実施例１の画像表示装置の機能ブロックの一例を示す図
【図３】実施例１の画像表示装置による表示の他の一例を示す図
【図４】実施例１の画像注視領域の表示の一例を示す図
【図５】実施例１の画像表示装置のハードウェア構成の一例を示す図
【図６】実施例１の画像表示方法の処理の流れの一例を示す図
【図７】実施例２の画像表示装置の機能ブロックの一例を示す図
【図８】実施例２の画像表示方法の選択ステップの処理の流れの一例を示す図
【図９】実施例３の画像表示装置の機能ブロックの一例を示す図
【図１０】実施例４の画像注視領域の表示の一例を示す図
【図１１】実施例４の画像表示装置の機能ブロックの一例を示す図
【図１２】実施例４の画像表示方法の処理の流れの一例を示す図
【図１３】実施例５の画像注視領域の表示の一例を示す図
【図１４】実施例５の画像表示装置の機能ブロックの一例を示す図
【図１５】実施例５の画像表示方法の処理の流れの一例を示す図
【図１６】実施例６の画像注視領域の表示の一例を示す図
【図１７】実施例６の画像表示装置の機能ブロックの一例を示す図
【図１８】実施例６の画像表示方法の処理の流れの一例を示す図
【図１９】実施例７の画像表示装置による表示の一例を示す図
【図２０】実施例７の画像表示装置の機能ブロックの一例を示す図
【図２１】実施例７の画像表示方法の処理の流れの一例を示す図
【発明を実施するための形態】
【００１１】
以下に、本発明の実施例を説明する。実施例と請求項の相互の関係は、以下のとおりである。実施例１は主に請求項１、２、３、４、１２、１３、１４、１５、２３、２４などに関し、実施例２は主に請求項５、６、１６、１７、２３、２４などに関し、実施例３は主に請求項７、１８、２３、２４などに関し、実施例４は主に請求項８、１９、２３、２４などに関し、実施例５は主に請求項９、２０、２３、２４などに関し、実施例６は主に請求項１０、２１、２３、２４などに関し、実施例７は主に請求項１１、２２、２３、２４などに関する。なお、本発明はこれらの実施例に何ら限定されるものではなく、その要旨を逸脱しない範囲内において、様々な態様で実施しうる。
【実施例１】
【００１２】
<概要>
本実施例の発明においては、図１に示すように、画面内部の３次元仮想空間１１においてひとつ分の画像１３を注視する領域１２を画面中央から見て一方の側によった状態で設け、仮想線１４に沿った順送り処理（例えば、ＧＵＩボタン１５に対する操作入力に応じた順送り処理）によりこれから注視しようとする画像のグループの画面中に占める割合を多くする構成としている。当該構成とすることにより、ユーザにとってより適切な画面状態で複数の画像を俯瞰することができる。
【００１３】
<構成>
図２は、本実施例の画像表示装置の機能ブロックの一例を示す図である。この図にあるように、本実施例の「画像表示装置」０２００は、「画像保持部」０２０１と、「選択部」０２０２と、「画像配置部」０２０３と、「第一順送部（第二順送部）」０２０４と、「第一画像注視領域配置部（第二画像注視領域配置部）」０２０５と、からなる。
【００１４】
「画像保持部」は、複数の画像を保持する機能を有する。画像保持部としては、データを蓄えることが可能なＲＡＭ等の記憶装置が考えられる。ここで、保持される画像は、外部記憶装置（補助記憶装置）から取得する構成とすることも可能であるし、ネットワークを介してサーバ装置から取得する構成も可能である。また、画像保持部は、データの占める容量が所定値（例えば、５００Ｍｂ）を超えると、自動的にその時点で使っていない画像データを消去していく構成とすることも可能である。保持される画像の内容は特に限定されるものではないが、例えば画像表示装置が商品アイテムを表示する用途で用いられる場合は、商品アイテムと関連づけられた画像を保持することが考えられる。
【００１５】
「選択部」は、画像保持部に保持された複数の画像から画像を選択する機能を有する。ここで画像を選択する方法としては、複数の画像の識別子リストを取得して、識別子の小さい順又は大きい順に選択していく方法やランダムに選択する方法が考えられる。ここで当該画像の識別子リストとしては、外部記憶装置に予め保持しておく構成も可能であるが、サーバ装置からネットワークを介して取得する構成も可能である。
【００１６】
また、画像を選択する方法の他の例として、画像を選択する際の指定条件を操作入力機器等を介して受け付け、当該指定条件に基づいて画像を選択する方法が考えられる。例えば、画像に関連づけられた特性情報（画像のカテゴリー属性、キーワード情報、ブランド属性など）を取得した上で、当該特性情報に関する指定条件を受け付ける構成も可能である。特性情報は、外部記憶装置から取得して保持する構成や、サーバ装置などから取得して保持する構成が可能である。詳しくは実施例４において説明する。
【００１７】
「画像配置部」は、３Ｄ画像内で画面内左右方向と上下方向又は／及び手前から奥への方向を組み合わせた形で引かれる仮想線である画像配置線に沿って選択された画像を配置する機能を有する。３Ｄ画像とは、２次元画面において表現される３次元仮想空間を表すものである。ここで、画像配置線は直線状のものとすることも可能であるし、曲線状のものや、直線と曲線から構成されるものなど種々の態様が可能である。画像配置線は特に定常的である必要はなく、以下に述べる画像注視領域の移動に伴って形状が変化する構成も可能である。
【００１８】
また、画像保持部に保持されている画像に対して特に処理を行うことなくそのまま配置する構成も可能であるが、画像の拡大率や２次元画面に対する画像の傾斜角（３次元仮想空間における画像の法線と画面の法線がなす角度）を調整する処理を行ったり、トリミング処理などを行ったりする構成も可能である。
【００１９】
「第一順送部」は、３Ｄ画像内で画像を前記画像配置線に沿ってひとつ分ずつ画面右から画面左に順送りする機能を有する。また、「第二順送部」は、３Ｄ画像内で画像を前記画像配置線に沿ってひとつ分ずつ画面左から画面右に順送りする機能を有する。ここで、順送りする機能として、例えば、自動スクロールにより画像を移動させるよう制御する構成が考えられる。
【００２０】
また、図１に示すように、表示画面の一部（例えば、画像注視領域の付近）に順送りするためのＧＵＩボタン１５を設けて、当該ＧＵＩボタンに対する操作入力（マウスのクリック操作など）を受け付ける構成とすることも可能である。なお、キーボードの矢印キー等によって順送りの操作入力を受け付ける構成も可能である。
【００２１】
「第一画像注視領域配置部」は、３Ｄ画像内で画面中央から見て左よりに前記画像配置線上のひとつ分の画像を注視するための画像注視領域を配置する機能を有する。「第二画像注視領域配置部」は、３Ｄ画像内で画面中央から見て右よりに前記画像配置線上のひとつ分の画像を注視するための画像注視領域を配置する機能を有する。このように画面中央から見て偏った位置に画像注視領域を配置して、順送りする方向を適当な方向に設定することにより、これから画像注視領域に入ることが予定される画像のグループの画面中に占める割合を多くすることができる。なお、画像注視領域の中心座標は、画面中央から見て画像を順送りする方向に画面横幅の所定割合（例えば略４分の１や略３分の１）の長さだけ偏った位置に配置する構成が考えられる。
【００２２】
画像注視領域の特性としては、画像注視領域に入った画像の拡大率や解像度、明度・輝度・彩度、２次元画面における画像の回転角・２次元画面と画像の法線のなす３次元仮想空間における傾斜角、などを変化させることが可能である。例えば、画像注視領域の画像の拡大率を最大にして画像の向きをユーザに対して正対させる（２次元画面に対する傾斜角を０度とする）。また、画像注視領域以外の領域の画像については、ユーザに対して正対させないようにしたり、画像の表示をぼかしたり、点滅させたりする構成も考えられる。
【００２３】
以上のように、本実施例の画像表示装置においては、画面右から画面左（画面左から画面右）に画像配置線に沿って画像を順送りし、画像注視領域を画面中央から見て左（右）に配置する構成を有している。当該構成とすることにより、これから注視することが予定される画像のグループが画面中に占める割合をそれ以外の画像のグループに比べて多くすることが可能になる。
【００２４】
また、画像配置線は、３Ｄ画像内で画面奥側から画面手前側に向かってうねる仮想線とすることも可能である。図３においてうねる仮想線１４Ｂの一例を示す。この図に示すように、仮想線における画像の配置位置に応じて画像の拡大率や２次元画面に対する傾斜角を変化させる構成が考えられる。当該構成とすることにより、平面的な仮想線よりも多くの画像を配置することが可能になり、注視領域に向かう画像のグループをより多く俯瞰することが可能になる。なお、２次元画面と画像の法線がなす３次元仮想空間における傾斜角は、画像注視領域に未だ至っていない画像のグループについてユーザから画像の内容が少なくとも部分的に見えるような値とすることが好ましい。
【００２５】
また、図４に示すように、画像注視領域１２は、画像１３を中に配置するための注視枠１６によって仕切られた内部領域とすることも可能である。ここで、注視枠としては、四角の注視枠の他に、丸枠や多角形の枠など種々の形状が可能である。また、画像ごとに枠の形状を変形させたり、ユーザの入力操作や時間に応じて変化させたりする構成も可能である。このように注視枠を設けることにより、ユーザが注視すべき領域がさらに明確になる。
【００２６】
また、図４に示すように注視枠１６において中に配置された画像１３の特性情報の全部又は一部を表示する構成も可能である。表示する情報としては、画像１３が示すアイテムの属性（例えば、ブランド属性やグループ属性、商品名、商品の製造・販売元など）や画像の性質（例えば、画像のサイズ、画像の作成者・作成日時、画像の入手元ＵＲＬなど）が考えられる。当該構成とすることにより、注視領域にある画像に関連する情報を容易に認識することが可能になる。
【００２７】
また、第一順送部と第二順送部を両方設ける構成も可能である。この場合、第一順送部が機能している場合は第一画像注視領域配置部を起動し、第二順送部が機能している場合は第二画像注視領域配置部を起動する構成が考えられる。例えば、第一順送部として第一ＧＵＩボタン、第二順送部として第二ＧＵＩボタンを設け、第一ＧＵＩボタンに対する操作入力を受け付けた場合は画像注視領域を画面中央から見て左よりに配置し、第二ＧＵＩボタンに対する操作入力を受け付けた場合は画像注視領域を画面中央から見て右よりに配置するように画像注視領域を移動させることも可能である。当該制御は、プロセッサ（ＣＰＵ等）から構成される制御部により実行可能である。
【００２８】
また、本実施例では画面左右方向に順送りする構成を示しているが、３Ｄ画像内で画像を前記画像配置線に沿ってひとつ分ずつ画面任意の方向に順送りする機能を有する任意順送部を設ける構成も可能である。この場合、３Ｄ画像内で画面中央から見て順送りする方向によった領域に前記画像配置線上のひとつ分の画像を注視するための画像注視領域を配置する機能を有する任意方向用画像注視領域配置部を設ける構成が考えられる。例えば、マウスの画面に対するドラッグ操作を受け付けて順送りする方向を決定し、当該決定処理に応じて画面注視領域の配置位置を決定する処理を行うことが可能になる。
【００２９】
<具体的な構成>
図５は、本実施例の画像表示装置の機能的な各構成要素をハードウェアとして実現した際の、構成の一例を示す概略図である。この図を利用して、ハードウェア構成部の働きについて説明する。
【００３０】
この図にあるように、上記の画像表示装置は、ＣＰＵ（プロセッサ）０５０１と、メインメモリ０５０２と、外部記憶装置（補助記憶装置）０５０３と、ディスプレイ０５０４と、通信装置０５０５と、操作入力装置０５０６と、を備える。これらの構成はシステムバス０５０７のデータ通信経路によって相互に接続され、情報の送受信や処理を行う。
【００３１】
なお、以下の処理においては、画像表示装置の外部記憶装置から画像のデータを取得する構成を示しているが、ネットワークを介したサーバ装置から画像のデータを取得する構成も可能である。画像表示装置は、ＣＰＵにてメインメモリに展開されたプログラムに従って以下の処理を実行する。プログラムやパラメータデータは、あらかじめ外部記憶装置に保持しておく構成も可能であるが、ユーザーの入力操作の結果を取得する構成やサーバ装置から全部又は一部を取得する構成も可能である。
【００３２】
画像表示装置は、ＣＰＵにて選択処理を実行し、外部記憶装置に保持されている複数の画像のうち画像の識別子リストを取得し、識別子リストにおいてインデックスの小さいものから所定数の画像を選択し、メインメモリの所定のアドレスに画像のデータを格納する。ここで、各画像と関連付けられた特性情報を合わせて外部記憶装置から取得し、画像表示に用いる構成も可能である。なお、選択処理として、インデックスに関係なく外部記憶装置に保持されている複数の画像から所定数の画像をランダムに選択することも可能である。
【００３３】
また、画像表示装置はＣＰＵにて画像配置処理を実行し、画像配置線を示す３次元仮想座標データを取得し、画像配置線に沿って画像を表示する処理を行う。ここで、配置する３次元仮想座標に応じて各画像の拡大率や傾斜角を変化させる。
【００３４】
また、画像表示装置はＣＰＵにて順送り処理を実行し、３Ｄ画像内の画像の配置座標の位置を画像配置線に沿ってひとつ分ずつ画面右から画面左（画面左から画面右）に変化していくように順送り表示する処理を行う。ここで、画像の配置座標の変化は非連続的なものとすることも可能であるし、連続的なものとすることも可能である。
【００３５】
また、画像表示装置はＣＰＵにて画像注視領域配置処理を実行し、３Ｄ画像内で画面中央から見て左（右）の領域の所定位置に画像注視領域を表示する処理を行い、当該画像注視領域の内部に存在する画像の特性情報を取得し、当該特性情報を画像注視領域の一部に表示する処理を行う。
【００３６】
<処理の流れ>
図６は、本実施例の画像表示方法の処理の流れの一例を示す図である。同図の処理の流れは以下のステップからなる。最初に選択ステップＳ０６０１では、記憶装置に保持される複数の画像から画像を選択する。次に画像配置ステップＳ０６０２では、３Ｄ画像内で画面内左右方向と上下方向又は／及び手前から奥への方向を組み合わせた形で引かれる仮想線である画像配置線に沿って選択された画像を配置する。次に第一順送ステップ（第二順送ステップ）Ｓ０６０３では、３Ｄ画像内で画像を前記画像配置線に沿ってひとつ分ずつ画面右から画面左（画面左から画面右）に順送りする。次に第一画像注視領域配置ステップ（第二画像注視領域配置ステップ）Ｓ０６０４では、３Ｄ画像内で画面中央から見て左（右）よりに前記画像配置線上のひとつ分の画像を注視するための画像注視領域を配置する。なお、以上のステップの順番は一例であり、他の並び順で行うことも可能である。これらの処理をコンピュータに実行させるためのプログラムや、そのプログラムを記録した記録媒体も本実施例の技術的思想に含まれるものである（以下の実施例における処理の流れについても同様である）。
【００３７】
<効果>
本実施例の発明によって、これから注視しようとしている画像が画面中に占める割合を多くすることができ、ユーザにとってより適切な画面状態で複数の画像を俯瞰することができる。
【実施例２】
【００３８】
<概要>
本実施例の画像表示装置は、実施例１と同様であるが、画像配置線に沿って配置させる画像を選択する際の指定条件を受け付けて当該指定条件に基づいて画像を選択することを特徴とする。当該構成とすることにより、ユーザにとってより適切な画像状態で複数の画像を俯瞰することができる。
【００３９】
<構成>
図７は、本実施例の画像表示装置の機能ブロックの一例を示す図である。この図にあるように、本実施例の「画像表示装置」０７００は、「画像保持部」０７０１と、「選択部」０７０２と、「画像配置部」０７０３と、「第一順送部（第二順送部）」０７０４と、「第一画像注視領域配置部（第二画像注視領域配置部）」０７０５と、からなり、選択部は、「条件受付手段」０７０６と、「指定選択手段」０７０７と、を有することを特徴とする。以下、特徴点である「条件受付手段」と、「指定選択手段」について説明する。
【００４０】
「条件受付手段」は、画像を選択する際の指定条件を受け付ける機能を有する。指定条件を受け付ける方法としては、操作入力機器を介した入力や音声入力機器を介した入力を受け付ける方法、外部記憶装置に保持されている指定条件を適宜読みだす方法などが考えられる。指定条件としては、画像の識別子、サイズ、作成・更新日時、作成者などが一例として考えられる。また、画像の特性情報を外部記憶装置又はネットワークを介してサーバ装置等から取得している場合は、特性情報に特定のキーワードやカテゴリー属性、ブランド属性を含むものであること、とすることも可能である。
【００４１】
「指定選択手段」は、前記指定条件に基づいて画像を選択する機能を有する。ここで、指定条件を満たす画像が画像保持部に存在しない場合は、外部記憶装置を検索したり、ネットワークを介したサーバ装置に対して当該画像のデータを要求する信号を送信したりする構成が考えられる。
【００４２】
なお、「画像配置部」が「配置条件受付手段」と「条件配置手段」をさらに有する構成も同様に可能である。「配置条件受付手段」は、前記画像配置線に沿って選択された画像を配置する際の配置条件を受け付ける機能を有する。「条件配置手段」は、前記配置条件に基づいて画像を配置する機能を有する。
【００４３】
配置条件を受け付ける方法としては、操作入力機器を介した入力や音声入力機器を介した入力を受け付ける方法、外部記憶装置に保持されている配置条件を適宜読みだす方法などが考えられる。配置条件としては、「画像のサイズが小さい（又は大きい）ものから配置する」といった条件や、「画像の作成・更新日時が新しい（又は古い）ものから配置する」といった条件も可能である。
【００４４】
また、画像の特性情報を取得している場合は、「画像の特性情報に含まれる種々のパラメータ（例えば、画像が示す商品の値段や、販売開始日時、ユーザ評価指数、売行き指数など）の降順又は昇順に配置する」といった配置条件が考えられる。
【００４５】
<具体的な構成>
本実施例の画像表示装置の具体的な構成は、図５で示した実施例１の画像表示装置の具体的な構成と共通する。ただし、本実施例の画像表示装置は、条件受付処理や指定選択処理を行うことを特徴とする。
【００４６】
画像表示装置は、複数の画像の識別子リスト（データリスト）及び特性情報をネットワークを介したサーバ装置から取得してメインメモリの所定のアドレスに格納する。また、画像表示装置は、操作入力機器を介して画像を選択する際の指定条件を受け付けた場合、当該指定条件をメインメモリの所定のアドレスに格納する。さらに、画像表示装置はＣＰＵにて指定選択処理を実行し、指定条件を満たす特性情報を有する画像を選択し、当該画像のデータをメインメモリの所定のアドレスに格納する。なお、指定条件を満たす画像がメインメモリに存在しない場合は、サーバ装置に対して要求する信号を送信し、それにより取得した画像のデータをメインメモリの所定のアドレスに格納する。以上の処理では、サーバ装置から識別子リストや特性情報、画像のデータを取得する例を示したが、外部記憶装置から取得する例も考えられる。その他の処理については、実施例１の具体的な構成で説明したものと同様であるから、説明を省略する。
【００４７】
<処理の流れ>
本実施例の画像表示方法の処理の流れは、図６で示した実施例１の処理の流れと同様である。ただし、本実施例の画像表示方法の選択ステップは、図８で示すように、条件受付サブステップ（ＳＳ０８０１）と、指定選択サブステップ（ＳＳ０８０２）とからなる。条件受付サブステップ（ＳＳ０８０１）では、画像を選択する際の指定条件を受け付ける処理を行う。また、指定選択サブステップ（ＳＳ０８０２）では、前記指定条件に基づいて画像を選択する処理を行う。
【００４８】
<効果>
本実施例の画像表示装置等により、ユーザにとってより適切な画像状態で複数の画像を俯瞰することができる。
【実施例３】
【００４９】
<概要>
本実施例の画像表示装置は、基本的に実施例１と共通するが、特定の画像の識別子のリストである特定画像リストに識別子が存在する画像を選択して、当該選択された画像を画像配置線に沿って配置することを特徴とする。当該構成とすることにより、特定画像リストに識別子が存在する画像のみをユーザにとって適切な画面状態で俯瞰することができる。
【００５０】
<構成>
図９は、本実施例の画像表示装置の機能ブロックの一例を示す図である。この図にあるように、本実施例の「画像表示装置」０９００は、「画像保持部」０９０１と、「選択部」０９０２と、「画像配置部」０９０３と、「第一順送部（第二順送部）」０９０４と、「第一画像注視領域配置部（第二画像注視領域配置部）」０９０５と、「特定画像リスト保持部」０９０６とからなり、選択部は「特定画像選択手段」０９０７を有することを特徴とする。
【００５１】
「特定画像リスト保持部」は、特定の画像の識別子のリストである特定画像リストを保持する機能を有する。ここで、識別子は、複数の画像から画像を選択する際の目印となるものであり、例えば画像データのファイル名やＩＤ等とが考えられる。特定画像リストとしては、自己又は他人のお気に入り画像の識別子を記録したものとすることも可能であるし、特定の特性情報（ブランド属性、カテゴリー属性、キーワードなど）を有する画像の識別子を記録したものとすることも可能である。
【００５２】
特定画像リスト保持部としては、画像保持部と同様に、メインメモリ等の記憶装置が考えられる。また、保持される特定画像リストは、予め外部記憶装置に記録しておく構成も可能であるが、ネットワークを介してサーバ装置等から適宜取得する構成も可能である。
【００５３】
また、特定画像リストは修正可能な構成とすることが可能である。例えば、新たな画像の識別子を追加したり、除外したりすることが可能な構成とすることが考えられる（詳しくは実施例４、５において説明する）。また、特定画像リストは一つである必要はなく、複数保持する構成も可能である。例えば、画像表示装置にログインしたユーザのＩＤに基づいて利用する特定画像リストを選択する構成が考えられる。
【００５４】
「特定画像選択手段」は、前記特定画像リストに識別子が存在する画像を選択する機能を有する。ここで、特定画像リストに識別子が存在する画像が画像保持部に存在しない場合は、外部記憶装置から取得したり、ネットワークを介して所定のサーバ装置から取得したりする構成も可能である。所定のサーバ装置から取得する構成である場合は、特定画像リストにおいて識別子と関連づけて画像データの取得アドレスを記録しておくことが考えられる。
【００５５】
なお、選択部は上記特定画像選択手段の機能を常に用いる必要はなく、適当な外部入力信号や内部入力信号を受け付けた場合に限り利用する構成とすることも可能である。例えば、特定画像リストに識別子が存在する画像のみを表示せよとの操作入力を受け付けた場合に限り当該特定画像選択手段を用いる構成とすることが考えられる。
【００５６】
<具体的な構成>
本実施例の画像表示装置の具体的な構成は、図５で示した実施例１の画像表示装置の具体的な構成と共通する。ただし、本実施例の画像表示装置は、特定画像リストに基づいて特定画像選択処理を行うことを特徴とする。
【００５７】
画像表示装置は、ネットワークを介してサーバ装置から画像の識別子及び取得アドレスを記録した特定画像リストを取得してメインメモリの所定のアドレスに格納する。次に、画像表示装置は、特定画像リストに識別子が存在する画像がメインメモリに存在するか否か判断する処理を行う。当該処理においてメインメモリに存在しない画像が見つかった場合は、所定の取得アドレスから画像のデータを取得してメインメモリのアドレスに格納する。次に画像表示装置はＣＰＵにて特定画像選択処理を実行し、特定画像リストに識別子が存在する画像を画像配置線に沿って配置する処理を行う。
【００５８】
以上の処理においては、ネットワークを介して特定画像リストや画像データを取得する構成を示したが、外部記憶装置からこれらのデータを取得する構成も可能である。その他の処理については、実施例１の具体的な構成で説明したものと同様であるから、説明を省略する。
【００５９】
<処理の流れ>
本実施例の画像表示方法の処理の流れは、図６で示した実施例１の処理の流れと同様である。ただし、本実施例の画像表示方法の選択ステップは、記憶装置に保持される特定の画像の識別子からなるリストである特定画像リストに識別子が存在する画像を選択することを特徴とする。
【００６０】
<効果>
本実施例の画像表示装置等により、特定画像リストに識別子が存在する画像のみをユーザにとって適切な画面状態で俯瞰することができる。
【実施例４】
【００６１】
<概要>
本実施例の画像表示装置は、基本的に実施例３の画像表示装置と共通するが、図１０に示すように画像注視領域１２に配置されている画像１３の識別子を特定画像リストに追加するためのリスト追加ボタン１７を画像注視領域１２付近に配置することを特徴とする。当該構成とすることにより、実施例３の効果に加えて、特定画像リストをさらに適当なものとすることが可能になる。
【００６２】
<構成>
図１１は、本実施例の画像表示装置の機能ブロックの一例を示す図である。この図にあるように、本実施例の「画像表示装置」１１００は、「画像保持部」１１０１と、「選択部」１１０２と、「画像配置部」１１０３と、「第一順送部（第二順送部）」１１０４と、「第一画像注視領域配置部（第二画像注視領域配置部）」１１０５と、「特定画像リスト保持部」１１０６と、「リスト追加ボタン配置部」１１０７とからなり、選択部は「特定画像選択手段」１１０８を有することを特徴とする。以下、実施例３との相違点であるリスト追加ボタン配置部について説明する。
【００６３】
「リスト追加ボタン配置部」は、前記画像注視領域に配置されている画像の識別子を前記特定画像リストに追加するためのリスト追加ボタンを前記画像注視領域付近に配置する機能を有する。ここで、画像の識別子を特定画像リストに追加するとは、識別子が一つも記録されていない状態の特定画像リストに画像の識別子を記録することも含むものである。リスト追加ボタンは常に表示する構成とすることも可能であるが、特定画像リストに識別子が存在する画像のみを表示している場合は表示しないといった構成も可能である。また、リスト追加ボタンは画像注視領域付近の任意の位置に配置することが可能である。例えば注視枠を設けている場合は、当該注視枠に近接する位置やその近辺の位置に配置する構成も可能である。
【００６４】
<具体的な構成>
本実施例の画像処理システムの具体的な構成は、実施例１、３の画像処理システムの具体的な構成と同様である。ただし、本実施例の画像表示装置は、リスト追加ボタンの配置処理を行うことを特徴とする。
【００６５】
画像表示装置は、ネットワークを介してサーバ装置から特定画像リストを取得し、メインメモリの所定のアドレスに格納する。画像表示装置はＣＰＵにてリスト追加ボタン配置処理を実行し、リスト追加ボタンを画像注視領域付近に表示する処理を行う。ここで、リスト追加ボタンに対する操作入力を受け付けた場合、画像注視領域に配置されている画像の識別子を取得して、メインメモリの特別画像リストに識別子を追加する処理を行う。既に特定画像リストに識別子が存在する画像である場合は、その旨を表示する。その後、更新された特定画像リストをサーバ装置に対して送信する。なお、サーバ装置に対して所定の画像に対するリスト追加要求の情報を送信して、サーバ装置において特定画像リストの追加処理を行う構成も考えられる。その他の処理については、実施例１、３の具体的な構成で説明したものと同様であるから、説明を省略する。
【００６６】
<処理の流れ>
図１２は、本実施例の画像表示方法の処理の流れの一例を示す図である。同図の処理の流れは基本的に実施例１で説明した処理と同様であるが、リスト追加ボタン配置ステップ（Ｓ１２０５）をさらに有することを特徴とする。リスト追加ボタン配置ステップ（Ｓ１２０５）は、前記画像注視領域に配置されている画像の識別子を前記識別子リストに追加するためのリスト追加ボタンを前記画像注視領域付近に配置する処理を行う。
【００６７】
<効果>
本実施例の画像表示装置等により、実施例３の効果に加えて、特定画像リストをさらに適当なものとすることが可能になる。
【実施例５】
【００６８】
<概要>
本実施例の画像表示装置は、基本的に実施例３の画像表示装置と共通するが、図１３に示すように画像注視領域１２に配置されている画像１３の識別子を特定画像リストから除外するためのリスト除外ボタン１８を画像注視領域１２付近に配置することが可能である。当該構成とすることにより、実施例３の効果に加えて特定画像リストをより適当なものとすることができる。
【００６９】
<構成>
図１４は、本実施例の画像表示装置の機能ブロックの一例を示す図である。この図にあるように、本実施例の「画像表示装置」１４００は、「画像保持部」１４０１と、「選択部」１４０２と、「画像配置部」１４０３と、「第一順送部（第二順送部）」１４０４と、「第一画像注視領域配置部（第二画像注視領域配置部）」１４０５と、「特定画像リスト保持部」１４０６と、「リスト除外ボタン配置部」１４０７とからなり、選択部は「特定画像選択手段」１４０８を有することを特徴とする。以下、実施例３との相違点であるリスト除外ボタン配置部について説明する。
【００７０】
「リスト除外ボタン配置部」は、前記画像注視領域に配置されている画像の識別子を前記特定画像リストから除外するためのリスト除外ボタンを前記画像注視領域付近に配置する機能を有する。ここで、リスト除外ボタンは、常に表示する構成とすることも可能であるが、特定画像リストに識別子が存在する画像のみを表示している場合に限って表示する構成も可能である。また、リスト除外ボタンは画像注視領域付近の任意の位置に配置することが可能であり、注視枠を設けている場合は、当該注視枠に近接する状態で配置する構成も可能である。
【００７１】
<具体的な構成>
本実施例の画像表示装置の具体的な構成は、実施例１、３の画像表示装置の具体的な構成と共通する。ただし、本実施例の画像表示装置は、リスト除外ボタンの配置処理を行うことを特徴とする。
【００７２】
画像表示装置は、ネットワークを介してサーバ装置から特定画像リストを取得し、メインメモリの所定のアドレスに格納する。画像表示装置はＣＰＵにてリスト除外ボタン配置処理を実行し、リスト除外ボタンを画像注視領域付近に表示する処理を行う。ここで、リスト除外ボタンに対する操作入力を受け付けた場合、画像注視領域に配置されている画像の識別子を取得して、メインメモリの特定画像リストから識別子を除外する処理を行う。既に特定画像リストから識別子が除外された画像である場合は、その旨を表示する。その後、更新された特定画像リストをサーバ装置に対して送信する。なお、サーバ装置に対して所定の画像に対するリスト除外要求の情報を送信して、サーバ装置において特定画像リストの除外処理を行う構成も考えられる。その他の処理については、実施例１、３の具体的な構成で説明したものと同様であるから、説明を省略する。
【００７３】
<処理の流れ>
図１５は、本実施例の画像表示方法の処理の流れの一例を示す図である。同図の処理の流れは基本的に実施例１で説明した処理と同様であるが、さらにリスト除外ボタン配置ステップ（Ｓ１５０５）をさらに有することを特徴とする。リスト除外ボタン配置ステップ（Ｓ１５０５）は、前記画像注視領域に配置されている画像の識別子を前記識別子リストから除外するためのリスト除外ボタンを前記画像注視領域付近に配置する処理を行う。
【００７４】
<効果>
本実施例の画像表示装置により、実施例１、３の効果に加えて、特定画像リストをさらに適当なものとすることが可能になる。
【実施例６】
【００７５】
<概要>
本実施例の画像表示装置は、基本的に実施例１の画像表示装置と共通するが、図１６に示すように、画像注視領域１２に配置されている画像１３の識別子に関連づけられたホームページのＵＲＬ先に画面を遷移させるための遷移ボタン１９を画像注視領域１２付近に配置することを特徴とする。当該構成とすることにより、複数の画像を俯瞰しながら、画像注視領域に配置された画像に関連するホームページに容易にアクセスすることが可能になる。
【００７６】
<構成>
図１７は、本実施例の画像表示装置の機能ブロックの一例を示す図である。この図にあるように、本実施例の「画像表示装置」１７００は、「画像保持部」１７０１と、「選択部」１７０２と、「画像配置部」１７０３と、「第一順送部（第二順送部）」１７０４と、「第一画像注視領域配置部（第二画像注視領域配置部）」１７０５と、「ページＵＲＬリスト保持部」１７０６と、「遷移ボタン配置部」１７０７とからなる。以下、実施例１との相違点である「ＵＲＬリスト保持部」と「遷移ボタン配置部」について説明する。
【００７７】
「ページＵＲＬリスト保持部」は、画像の識別子に関連づけられたホームページのＵＲＬのリストであるページＵＲＬリストを保持する機能を有する。ページＵＲＬリスト保持部としては、画像保持部と同様に、メインメモリ等の記憶装置が考えられる。また、保持されるＵＲＬリストは、予め外部記憶装置に記録しておく構成も可能であるが、ネットワークを介してサーバ装置から取得する構成も可能である。なお、画像の識別子に関連づけられたホームページとしては、例えば画像が示すアイテムを取り扱う販売・生産元のホームページなどが考えられる。
【００７８】
「遷移ボタン配置部」は、前記画像注視領域に配置されている画像の識別子に関連づけられたホームページに画面を遷移させるための遷移ボタンを前記画像注視領域付近に配置する機能を有する。ここで、画面を遷移させる構成としては、現在複数の画像が配置されている画面を切り替えて上記ホームページの情報を表示させる構成の他に、別のウィンドウに上記ホームページの情報を表示させる構成も可能である。
【００７９】
<具体的な構成>
本実施例の画像表示装置の具体的な構成は、実施例１の画像表示装置の具体的な構成と同様である。ただし、本実施例の画像表示装置は、遷移ボタンの配置処理を行うことを特徴とする。
【００８０】
画像表示装置は、ネットワークを介してサーバ装置からページＵＲＬリストを取得し、メインメモリの所定のアドレスに格納する。画像表示装置はＣＰＵにて遷移ボタン配置処理を実行し、画像注視領域に配置されている画像の識別子に関連づけられたホームページに画面を遷移させるための遷移ボタンを画像注視領域付近に配置する処理を行う。遷移ボタンに対する操作入力を受け付けた場合、画像注視領域に配置されている画像の識別子に関連づけられたホームページのＵＲＬを取得し、当該ＵＲＬのホームページの情報を要求する信号をサーバ装置に対して送信する。当該要求信号に応じて受信されるホームページの情報を取得して、別ウィンドウに表示させる処理を行う。その他の処理については、実施例１の具体的な構成で説明したものと同様であるから、説明を省略する。
【００８１】
<処理の流れ>
図１８は、本実施例の画像表示方法の処理の流れの一例を示す図である。同図の処理の流れは基本的に実施例１で説明した処理と同様であるが、遷移ボタン配置ステップ（Ｓ１８０５）をさらに有することを特徴とする。遷移ボタン配置ステップ（Ｓ１８０５）は、記憶装置の保持される画像の識別子に関連づけられたホームページのＵＲＬのリストであるページＵＲＬリストに基づいて、前記画像注視領域に配置されている画像の識別子に関連づけられたホームページのＵＲＬ先に画面を遷移させるための遷移ボタンを前記画像注視領域付近に配置する処理を行う。
【００８２】
<効果>
本実施例の画像表示装置等により、実施例１などの効果に加えて、複数の画像を俯瞰しながら、画像注視領域に配置された画像に関連するホームページに容易にアクセスすることが可能になる。
【実施例７】
【００８３】
<概要>
本実施例の画像表示装置は、基本的に実施例１と同様であるが、図１９に示すように、画像配置線１４Ｂに沿って画像を送り又は戻すためのスライドバーボタン２０を配置して、注視領域１２内に配置されている画像１３が選択された複数の画像の中で何番目の画像に該当するかを示す論理的位置を示す情報をスライドバーボタン２０上に表示することを特徴とする。当該構成とすることにより、実施例１の効果に加えて、注視している画像の論理的位置を容易に把握することが可能になる。
【００８４】
<構成>
図２０は、本実施例の画像表示装置の機能ブロックの一例を示す図である。この図にあるように、本実施例の「画像表示装置」２０００は、「画像保持部」２００１と、「選択部」２００２と、「画像配置部」２００３と、「第一順送部（第二順送部）」２００４と、「第一画像注視領域配置部（第二画像注視領域配置部）」２００５と、「スライドバーボタン配置部」２００６と、「論理的位置取得部」２００７と、「論理的位置表示部」２００８とからなる。以下、実施例１との相違点である「スライドバーボタン配置部」と「論理的位置取得部」と「論理的位置表示部」について説明する。
【００８５】
「スライドバーボタン配置部」は、画像配置線に沿って画像を送り又は戻すためのスライドバーボタンを配置する機能を有する。スライドバーボタンの形状や配置位置は特に限定されるものではないが、一例として画面下部又は上部において左右方向にスライド可能なスライドボタンを設ける構成が考えられる。スライドバーボタンに対する操作はマウスによるドラッグ操作とすることも可能であるし、キーボードによるキー入力操作とすることも可能である。
【００８６】
「論理的位置取得部」は、前記選択部により選択された複数の画像の中で注視領域内に配置されている画像が何番目の画像に該当するかを示す論理的位置を取得する機能を有する。論理的位置の取得は、例えば選択された画像のグループを示す配列における各画像のインデックスを用いてすることが可能である。また、ネットワークを介したサーバ装置において論理的位置の情報を取得している場合は、当該情報を受信する構成も可能である。
【００８７】
「論理的位置表示部」は、前記スライドバーボタン上に前記論理的位置を示す情報を表示する機能を有する。例えば、画像配置線に沿って選択された画像が１０個配置されており（画面上に表示しきれていない画像も含めて）、注視領域内に配置されている画像が３番目の画像に該当する場合は、「３／１０」と表示することや「１０画像のうち３番目」と表示することが考えられる。これらの表示の仕方は特に限定されるものではなく、種々の表示態様で行うことが可能である。また、表示する位置もスライドバーボタン上であれば足り、その他特に限定されるものではない。
【００８８】
<具体的な構成>
本実施例の画像表示装置の具体的な構成は、実施例１の画像表示装置の具体的な構成と同様である。ただし、本実施例の画像表示装置は、スライドバーボタンの配置処理を行うことを特徴とする。
【００８９】
画像表示装置は、ＣＰＵにてスライドバーボタン配置処理を実行し、画像配置線上にて画像を送り又は戻すためのスライドバーボタンを配置する処理を行う。さらに、画像表示装置は、ＣＰＵにて論理的位置取得処理を実行し、選択された画像のグループを示す配列の要素の数と当該配列における注視領域の画像のインデックスの値を取得し、メインメモリの所定のアドレスに格納する。さらに、画像表示装置は、ＣＰＵにて論理的位置表示処理を実行し、スライドバーボタンの上に注視領域の画像のインデックスと画像群の配列の要素の数を対比して表示する処理を行う。その他の処理については、実施例１の具体的な構成で説明したものと同様であるから、説明を省略する。
【００９０】
<処理の流れ>
図２１は、本実施例の画像表示方法の処理の流れの一例を示す図である。同図の処理の流れは基本的に実施例１で説明した処理と同様であるが、スライドバーボタン配置ステップ（Ｓ２１０５）と論理的位置取得ステップ（Ｓ２１０６）と論理的位置表示ステップ（Ｓ２１０７）をさらに有することを特徴とする。スライドバーボタン配置ステップ（Ｓ２１０５）は、画像配置線上にて画像を送り又は戻すためのスライドバーボタンを配置する処理を行う。論理的位置取得ステップ（Ｓ２１０６）は、前記選択ステップで選択された画像中における注視領域内に配置されている画像の論理的位置を取得する処理を行う。論理的位置表示ステップ（Ｓ２１０７）は、前記スライドバーボタン上に前記論理的位置を示す情報を表示する処理を行う。
【００９１】
<効果>
本実施例の画像表示装置により、実施例１の効果に加えて、注視している画像の論理的位置を把握することが可能になる。
【符号の説明】
【００９２】
１１…３次元仮想空間（３Ｄ画面）、１２…画像注視領域、１３…画像注視領域の画像、１４…画像配置線、１４Ｂ…うねった画像配置線、１５…順送り処理用のＧＵＩボタン、１６…注視枠、１７…リスト追加ボタン、１８…リスト除外ボタン、１９…遷移ボタン、２０…スライドバーボタン
【図１】
2011113320.tif 000003
【図２】
2011113320.tif 000004
【図３】
2011113320.tif 000005
【図４】
2011113320.tif 000006
【図５】
2011113320.tif 000007
【図６】
2011113320.tif 000008
【図７】
2011113320.tif 000009
【図８】
2011113320.tif 000010
【図９】
2011113320.tif 000011
【図１０】
2011113320.tif 000012
【図１１】
2011113320.tif 000013
【図１２】
2011113320.tif 000014
【図１３】
2011113320.tif 000015
【図１４】
2011113320.tif 000016
【図１５】
2011113320.tif 000017
【図１６】
2011113320.tif 000018
【図１７】
2011113320.tif 000019
【図１８】
2011113320.tif 000020
【図１９】
2011113320.tif 000021
【図２０】
2011113320.tif 000022
【図２１】
2011113320.tif 000023